(57)【要約】【課題】  防犯に有効であり、また、被写体のプライバシーの確保を実現できるウェアラブル監視カメラを提供する。【解決手段】  身体に装着して周囲画像を撮影するウェアラブル監視カメラであって、光学像から画像データを取得するカメラ部と、所定人物の画像データを記憶する記憶部と、異常信号を送信する通信部と、カメラ部で取得した画像データと記憶部に記憶された画像データを照合し、その照合結果に基づいて異常信号を通信部により送信するように制御する制御部を備える。【選択図】  図４
2017097395.tif 000002
【特許請求の範囲】
【請求項１】
身体に装着して周囲画像を撮影するウェアラブル監視カメラであって、
光学像から画像データを取得するカメラ部と、
所定人物の画像データを記憶する記憶部と、
異常信号を送信する通信部と、
前記カメラ部で取得した画像データと前記記憶部に記憶された画像データを照合し、その照合結果に基づいて前記異常信号を前記通信部により送信するように制御する制御部を備えたことを特徴とするウェアラブル監視カメラ。
【請求項２】
請求項１に記載のウェアラブル監視カメラであって、
前記異常信号を送信する際に、前記カメラ部で取得した画像データも前記通信部により送信することを特徴とするウェアラブル監視カメラ。
【請求項３】
請求項１に記載のウェアラブル監視カメラであって、
前記所定人物の画像データは前記ウェアラブル監視カメラのユーザと関わりのある人物の画像データであり、
前記照合結果が、前記所定人物以外の人物が所定時間以上前記カメラ部で取得した画像データに写っていた場合前記異常信号を送信することを特徴とするウェアラブル監視カメラ。
【請求項４】
請求項１に記載のウェアラブル監視カメラであって、
前記所定人物の画像データは犯罪歴のある人物の画像データであり、
前記照合結果が、前記所定人物が所定時間以上前記カメラ部で取得した画像データに写っていた場合前記異常信号を送信することを特徴とするウェアラブル監視カメラ。
【請求項５】
請求項１に記載のウェアラブル監視カメラであって、
前記カメラ部で取得した画像データを前記照合するための一時記憶領域を有し、
前記照合の処理終了後前記カメラ部で取得した画像データは削除することを特徴とするウェアラブル監視カメラ。
【請求項６】
請求項１に記載のウェアラブル監視カメラであって、
前記カメラ部で取得した画像データは暗号化されて第２の記憶部に記憶されることを特徴とするウェアラブル監視カメラ。
【請求項７】
請求項１に記載のウェアラブル監視カメラであって、
前記カメラ部で取得した画像データは外部に持ち出せないことを特徴とするウェアラブル監視カメラ。
【請求項８】
身体に装着して周囲画像を撮影するウェアラブル監視カメラであって、
光学像から画像データを取得するカメラ部と、
前記画像データを送信し外部からの情報を受信する通信部と、
音声出力部と、
前記カメラ部で所定時間間隔で前記画像データを取得し、該画像データを所定時間間隔で前記通信部により送信し、前記通信部から受信した情報に応じて前記音声出力部により警報を発するように制御する制御部を備えたことを特徴とするウェアラブル監視カメラ。
【請求項９】
監視カメラシステムであって、
光学像から画像データを取得するカメラ部と、所定人物の画像データを記憶する記憶部と、前記カメラ部で取得した画像データを送信する通信部と、前記カメラ部で取得した画像データと前記記憶部に記憶された画像データを照合し、その照合結果に基づいて前記通信部によりカメラ部で取得した画像データを送信するように制御する制御部を備えたウェアラブル監視カメラと、
前記ウェアラブル監視カメラとデータの送受信を行うネットワークと、
前記ネットワークと接続され前記ウェアラブル監視カメラとデータの送受信を行う固定局と、
前記ウェアラブル監視カメラの周囲にある前記ネットワークで接続された他の監視カメラを有し、
前記ウェアラブル監視カメラは、前記所定人物の画像データが犯罪歴のある人物の画像データであり、前記照合結果が、前記所定人物が所定時間以上前記カメラ部で取得した画像データに写っていた場合前記カメラ部で取得した画像データを送信し、
前記固定局は前記ウェアラブル監視カメラから送られた画像データを認証し、前記ウェアラブル監視カメラの周囲にある他の監視カメラに撮影指示を出すことを特徴とする監視カメラシステム。
【請求項１０】
身体に装着して周囲画像を撮影するウェアラブル監視カメラの制御方法であって、
カメラから取得した画像データと予め記憶された所定人物の画像データを照合し、その照合結果に基づいて異常信号を外部に送信することを特徴とするウェアラブル監視カメラの制御方法。
【請求項１１】
請求項１０に記載のウェアラブル監視カメラの制御方法であって、
前記異常信号を送信する際に、前記カメラで取得した画像データも送信することを特徴とするウェアラブル監視カメラ。
【請求項１２】
請求項１０に記載のウェアラブル監視カメラの制御方法であって、
前記所定人物の画像データは前記ウェアラブル監視カメラのユーザと関わりのある人物の画像データであり、
前記照合結果が、前記所定人物以外の人物が所定時間以上前記カメラで取得した画像データに写っていた場合前記異常信号を送信することを特徴とするウェアラブル監視カメラの制御方法。
【請求項１３】
請求項１０に記載のウェアラブル監視カメラの制御方法であって、
前記所定人物の画像データは犯罪歴のある人物の画像データであり、
前記照合結果が、前記所定人物が所定時間以上前記カメラで取得した画像データに写っていた場合前記異常信号を送信することを特徴とするウェアラブル監視カメラの制御方法。
【請求項１４】
請求項１０に記載のウェアラブル監視カメラの制御方法であって、
前記照合の処理終了後前記カメラで取得した画像データは削除することを特徴とするウェアラブル監視カメラの制御方法。
【請求項１５】
請求項１０に記載のウェアラブル監視カメラの制御方法であって、
前記カメラで取得した画像データは暗号化されて記憶されることを特徴とするウェアラブル監視カメラの制御方法。
【請求項１６】
請求項１０に記載のウェアラブル監視カメラの制御方法であって、
前記カメラで取得した画像データは外部に持ち出せないことを特徴とするウェアラブル監視カメラの制御方法。
【発明の詳細な説明】
【技術分野】
【０００１】
本発明は、身体に装着して周囲画像を撮影するウェアラブル監視カメラに関する。
【背景技術】
【０００２】
従来の監視カメラは、犯罪防止及び犯罪解決のため、店舗などに固定のカメラを設置し、撮影した動画或いは静止画の画像を保存し、犯罪が発生したときには保存された画像から犯人を特定する情報を取得できるようにしている。しかし、監視カメラが設置されていない場所で強盗などに襲われた場合には対応することができない。
【０００３】
そこで、個人が身体に装着して身体周辺を監視可能な携帯型防犯カメラが提案されている。
【０００４】
一例として、特開２００６−８６５８２号公報（特許文献１）がある。特許文献１には、画像信号を入力する信号入力器と、入力した画像信号を一時保存する信号一時保存器と、身体又は身体の周辺に異常が発生したことを検知する非常事態検出手段と、非常事態検出手段が検知した異常信号に基づき信号一時保存器から画像信号を取り込んで保存する信号蓄積器とを備えている。非常事態検出手段が検知した大振動などの異常信号により信号一時保存器あるいは信号蓄積器に画像信号を消去することなく保存することができる点が開示されている。
【先行技術文献】
【特許文献】
【０００５】
【特許文献１】特開２００６−８６５８２号公報
【発明の概要】
【発明が解決しようとする課題】
【０００６】
上記特許文献１は、非常事態検出手段として、フォトセンサー、振動センサー、音声センサーなどを用い、暴漢などに襲われたときの振動、音声を検知することによって異常信号を発するようにしている。したがって、実際に被害に遭ってから異常信号を発することになるので、防犯としての機能を果たすことができないという問題がある。
【０００７】
また、上記特許文献１は、取り込んだ画像をカメラ内に保存するように構成している。しかし、身体に装着して周囲画像を撮影するウェアラブル監視カメラでは、身体周辺の撮影を行うため、撮影される被写体のプライバシーの確保が問題になり、この点について特許文献１では考慮されていない。
【０００８】
本発明の目的は、上記課題を考慮し、防犯に有効であり、また、被写体のプライバシーの確保を実現できるウェアラブル監視カメラを提供することである。
【課題を解決するための手段】
【０００９】
上記課題を解決するために、本発明は、その一例を挙げるならば、身体に装着して周囲画像を撮影するウェアラブル監視カメラであって、光学像から画像データを取得するカメラ部と、所定人物の画像データを記憶する記憶部と、異常信号を送信する通信部と、カメラ部で取得した画像データと記憶部に記憶された画像データを照合し、その照合結果に基づいて異常信号を通信部により送信するように制御する制御部を備える。
【発明の効果】
【００１０】
本発明によれば、防犯に有効であり、また、被写体のプライバシーの確保を実現できるウェアラブル監視カメラを提供することができる。
【図面の簡単な説明】
【００１１】
【図１】実施例１におけるウェアラブル監視カメラを含む監視カメラシステムの構成図である。
【図２】実施例１におけるウェアラブル監視カメラの構成ブロック図である。
【図３】実施例１におけるウェアラブル監視カメラのソフトウェア構成図である。
【図４】実施例１におけるウェアラブル監視カメラの処理フローチャートである。
【図５】実施例２におけるウェアラブル監視カメラを含む監視カメラシステムの構成図である。
【図６】実施例３におけるウェアラブル監視カメラを含む監視カメラシステムの構成図である。
【発明を実施するための形態】
【００１２】
以下、本発明の実施例を、図面を用いて説明する。
【実施例１】
【００１３】
図１は、本実施例における、ウェアラブル監視カメラを含む監視カメラシステムの構成図である。図１において、１はウェアラブル監視カメラ、２はウェアラブル監視カメラ１のユーザ、３はウェアラブル監視カメラ１の被写体、４は無線通信用アクセスポイント、５はネットワーク、６は固定局であるセキュリティ管理会社である。
【００１４】
本実施例は、例えば、ユーザ２が装着しているウェアラブル監視カメラ１で撮影した画像の被写体３が、ユーザ２に危害が及ぼすような不審者であったような特定の条件を満たした時には、ネットワーク５を介してセキュリティ管理会社６に異常信号を送信し通報するものである。
【００１５】
図２は、本実施例におけるウェアラブル監視カメラ１の構成例を示すブロック図である。ここで、ウェアラブル監視カメラ１はカメラ機能と通信機能が一体となった装置を例に説明するが、カメラ機能を備えた携帯電話やスマートホンでも良く、通信機能を備えたデジタルスチルカメラ等であっても良い。また、動画撮影可能なビデオカメラや携帯型ゲーム機、またはその他の携帯用デジタル機器に通信機能を備えたものであっても良い。また、カメラ機能と通信機能が別体となったものでも構わない。
【００１６】
図２において、ウェアラブル監視カメラ１は、主制御部１０１、システムバス１０２、ＲＯＭ（Read Only Memory）１０３、ＲＡＭ（Random Access Memory)１０４、ストレージ部１１０、映像処理部１２０、音声処理部１３０、操作部１４０、通信処理部１５０、センサ部１６０で構成される。ここで、本実施例に必須ではない構成も多数含んでいるが、これらを備えられていない構成であっても本実施例の効果を損なうことはない。
【００１７】
図２において、主制御部１０１は、所定のプログラムに従ってウェアラブル監視カメラ１全体を制御するマイクロプロセッサユニットである。システムバス１０２は主制御部１０１とウェアラブル監視カメラ１内の各部との間でデータ送受信を行うためのデータ通信路である。
【００１８】
ＲＯＭ１０３は、オペレーティングシステムなどの基本動作プログラムやその他のアプリケーションプログラムが格納されたメモリであり、例えばＥＥＰＲＯＭ（Electrically Erasable Programmable ROM）やフラッシュＲＯＭのような書き換え可能なＲＯＭが用いられる。ＲＯＭ１０３に格納されたプログラムを更新することにより、基本動作プログラムやその他のアプリケーションプログラムのバージョンアップや機能拡張が可能であるものとする。
【００１９】
ＲＡＭ１０４は基本動作プログラムやその他のアプリケーションプログラム実行時のワークエリアとなる。なお、ＲＯＭ１０３及びＲＡＭ１０４は主制御部１０１と一体構成であっても良い。また、ＲＯＭ１０３は、図２に示したような独立構成とはせず、ストレージ部１１０内の一部記憶領域を使用しても良い。また、ＲＡＭ１０４は、各種アプリケーションプログラム実行時に、必要に応じてデータを一時的に保持する一時記憶領域を備えるものとする。
【００２０】
ストレージ部１１０は、ウェアラブル監視カメラ１の各動作設定値やウェアラブル監視カメラ１の使用者の情報等を記憶する。また、ウェアラブル監視カメラ１で撮影した静止画像データや動画像データ等も、ストレージ部１１０は、記憶可能であるものとする。
【００２１】
ストレージ部１１０の一部領域を以ってＲＯＭ１０３の機能の全部または一部を代替しても良い。また、ストレージ部１１０は、ウェアラブル監視カメラ１に電源が供給されていない状態であっても記憶している情報を保持する必要がある。したがって、例えばフラッシュＲＯＭやＳＳＤ（Solid State Drive）、ＨＤＤ（Hard Disc Drive）等のデバイスが用いられる。
【００２２】
映像処理部１２０は、表示部１２１、映像信号処理部１２２、カメラ部１２３で構成される。表示部１２１は、例えば液晶パネル等の表示デバイスであり、映像信号処理部１２２で処理した映像データをウェアラブル監視カメラ１の使用者に提供する。映像信号処理部１２２は図示を省略したビデオＲＡＭを備え、前記ビデオＲＡＭに入力された映像データに基づいて表示部１２１が駆動される。また、映像信号処理部１２２は、必要に応じてフォーマット変換、メニューやその他のＯＳＤ（Ｏｎ  Ｓｃｒｅｅｎ  Ｄｉｓｐｌａｙ）信号の重畳処理等を行う機能を有するものとする。カメラ部１２３は、ＣＣＤ（Charge Coupled Device）やＣＭＯＳ（Complementary Metal Oxide Semiconductor）センサ等の電子デバイスを用いてレンズから入力した光を電気信号に変換することにより、周囲や対象物の映像データを入力するカメラユニットである。
【００２３】
音声処理部１３０は、音声出力部１３１、音声信号処理部１３２、音声入力部１３３、で構成される。音声出力部１３１はスピーカであり、音声信号処理部１３２で処理した音声信号をウェアラブル監視カメラ１の使用者に提供する。音声入力部１３３はマイクであり、使用者の声などを音声データに変換して入力する。なお、本実施例では、この音声入力部は必須ではない。
【００２４】
操作部１４０は、ウェアラブル監視カメラ１に対する操作指示の入力を行う指示入力部である。
【００２５】
通信処理部１５０は、ＬＡＮ（Local Area Network）通信部１５１で構成される。ＬＡＮ通信部１５１はインターネットの無線通信用アクセスポイントと無線通信により接続してデータの送受信を行う。なお、通信処理部１５０は、移動体電話通信網の基地局との無線通信により、電話通信（通話）及びデータの送受信を行う移動体電話網通信部や、対応する機器と無線通信を行うＢｌｕｅＴｏｏｔｈ（登録商標）通信部や、赤外線通信部を備えていても良い。
【００２６】
センサ部１６０は、ウェアラブル監視カメラ１の状態を検出するためのセンサ群であり、ＧＰＳ（Global Positioning System）受信部１６１、加速度センサ１６２、ジャイロセンサ１６３、地磁気センサ１６４、照度センサ１６５、近接センサ１６６、で構成される。これらのセンサ群により、ウェアラブル監視カメラ１の位置、動き、傾き、方角、及び周囲の明るさ、周囲物の近接状況、等を検出することが可能となる。なお、本実施例では、これらのセンサは必須ではない。
【００２７】
図３は、本実施例のおけるウェアラブル監視カメラ１のソフトウェア構成図であり、ＲＯＭ１０３、ＲＡＭ１０４、及びストレージ部１１０におけるソフトウェア構成を示す。図３に示したように、ＲＯＭ１０３に格納された基本動作プログラム１０３ａはＲＡＭ１０４に展開され、主制御部１０１が展開された基本動作プログラムを実行することにより各部の制御を行う処理を実行する。主として、ストレージ部１１０に記憶されたカメラ機能プログラム１１０ａがＲＡＭ１０４に展開されて、主制御部１０１により実行されることによって、基本動作実行部１０４ａ、カメラ機能実行部１０４ｂによって制御される。なお、カメラ機能実行部１０４ｂと同等の動作をハードウェアで実現する各ハードウェアブロックを本実施例のウェアラブル監視カメラ１が更に備え、カメラ機能実行部１０４ｂに代替して、前記ハードウェアブロックがウェアラブル監視カメラ１の動作を制御するものであっても良い。
【００２８】
次に、本実施例におけるウェアラブル監視カメラの処理について処理フローチャートを用いて説明する。図４は本実施例におけるウェアラブル監視カメラの処理フローチャートである。図４において、まず、ウェアラブル監視カメラのカメラ部は、利用者の前方もしくは後方を常時撮影できる場所に設置する。例えば胸ポケットに配置したり、カメラ部が別体となっていればカメラ部を眼鏡に設置したり、胸章や、胸ポケットのペンなどに設置する。次に、何らかのイベント発生時、例えば、通学のために出発することをトリガーとして、カメラ部は所定の時間間隔で撮影を行なう（Ｓ４０１、Ｓ４０２）。そして、予め登録した所定人物の画像データと、撮影した画像に写った人物との照合を行なう（Ｓ４０３）。ここで所定人物とは、ウェアラブル監視カメラ１のユーザの家族等のユーザと関わりのある人物である。そして、特定条件を満たしているかどうかを判断する（Ｓ４０４）。ここで、特定条件とは、所定人物以外がカメラ部で取得した画像データに所定時間以上写っていた場合である。すなわち、予め登録した所定人物の画像データと、撮影した画像に写った人物との照合を行ない、その照合結果が、所定人物以外の人物が所定時間以上カメラ部で取得した画像データに写っていた場合、不審者と遭遇している可能性が高いため特定条件を満たしたと判断する。そして、特定条件を満たしている場合は、異常状態である旨を示す異常信号を送信する（Ｓ４０５）。
【００２９】
送信された異常信号は、ネットワーク５を介してセキュリティ管理会社６に送信され、通報される。セキュリティ管理会社６は、その通報に従い、ウェアラブル監視カメラ１のユーザの保護義務のある人に連絡する。例えばユーザの自宅へ連絡をとる。
【００３０】
なお、ウェアラブル監視カメラ１は、異常信号を送信する際に、カメラ部で取得した画像データも送信し、送信された画像データをセキュリティ管理会社６でも認証しても良い。
【００３１】
また、予め登録した所定人物の画像データは犯罪歴のある人物の画像データであり、照合結果が、所定人物が所定時間以上カメラ部で取得した画像データに写っていた場合に特定条件を満たしたと判断し異常信号を送信しても良い。
【００３２】
また、カメラ部で取得した画像データは、ユーザが自身の閲覧目的での利用は出来ないようにする。これによりカメラによる撮影行為が、盗撮には当たらないという位置づけを持つことが出来る。具体的には、ウェアラブル監視カメラ１は、カメラ部で取得した画像データを照合するための一時記憶領域を有しているが、照合の処理終了後はカメラ部で取得した画像データは削除するようにする。また、カメラ部で取得した画像データはカメラIDコードやセキュリティ管理会社のIDコードによる暗号化で記憶部に記憶することで、安易に閲覧できないようにしても良い。また、汎用の画像フォーマットでなく特殊な画像フォーマットで記録するようにしても良い。また、カメラ部で取得した画像データは外部に持ち出せないようにしても良い。
【００３３】
以上のように、本実施例は、身体に装着して周囲画像を撮影するウェアラブル監視カメラであって、光学像から画像データを取得するカメラ部と、所定人物の画像データを記憶する記憶部と、異常信号を送信する通信部と、カメラ部で取得した画像データと記憶部に記憶された画像データを照合し、その照合結果に基づいて異常信号を通信部により送信するように制御する制御部を備える。
【００３４】
また、身体に装着して周囲画像を撮影するウェアラブル監視カメラの制御方法であって、カメラから取得した画像データと予め記憶された所定人物の画像データを照合し、その照合結果に基づいて異常信号を外部に送信するように構成する。
【００３５】
これにより、防犯に有効であり、また、被写体のプライバシーの確保を実現できるウェアラブル監視カメラを提供することができる。
【実施例２】
【００３６】
本実施例は、撮影した画像データの照合をセキュリティ管理会社側で行う例について説明する。
【００３７】
図５は、本実施例における、ウェアラブル監視カメラを含む監視カメラシステムの構成図である。図５において、図１と同じ構成要件は同じ符号を付し、その説明は省略する。図１と異なる点は、セキュリティ管理会社６に予め登録した所定人物の画像データの登録情報データベース７を有する点である。
【００３８】
図５において、身体に装着して周囲画像を撮影するウェアラブル監視カメラ８は、光学像から画像データを取得するカメラ部と、カメラ部で取得した画像データを送信し外部からの情報を受信する通信部と、音声出力部とを有しており、カメラ部で所定時間間隔で画像データを取得し、画像データを所定時間間隔で通信部により送信する。
【００３９】
送信された画像データは、無線通信用アクセスポイント４、ネットワーク５を介してセキュリティ管理会社６に送信される。
【００４０】
セキュリティ管理会社６では、登録情報データベース７に予め登録された所定人物の画像データと送信された画像データとの照合を行なう。そして、予め登録された所定人物の画像データが、ウェアラブル監視カメラ８のユーザと関わりのある人物である場合、所定人物以外が送信された画像データに所定時間以上写っていた場合、ウェアラブル監視カメラ８のユーザが不審者と遭遇している可能性が高いと判断し、ウェアラブル監視カメラ８に警報情報を送信する。また、ウェアラブル監視カメラ８のユーザの保護義務のある人に連絡する。なお、予め登録された所定人物の画像データが、犯罪歴のある人物の画像データである場合、所定人物が送信された画像データに所定時間以上写っていた場合、ウェアラブル監視カメラ８のユーザが不審者と遭遇している可能性が高いと判断し、ウェアラブル監視カメラ８に警報情報を送信する。
【００４１】
ウェアラブル監視カメラ８は、通信部で受信した警報情報に応じて音声出力部により警報を発する。
【００４２】
本実施例によれば、所定人物の画像データの登録情報データベースをウェアラブル監視カメラ内に設ける必要がないので、ウェアラブル監視カメラを小型、安価に構成できる効果がある。
【００４３】
以上のように、本実施例は、身体に装着して周囲画像を撮影するウェアラブル監視カメラであって、光学像から画像データを取得するカメラ部と、画像データを送信し外部からの情報を受信する通信部と、音声出力部と、カメラ部で所定時間間隔で画像データを取得し、画像データを所定時間間隔で通信部により送信し、通信部から受信した情報に応じて音声出力部により警報を発するように制御する制御部を備える。
【００４４】
これにより、防犯に有効であり、また、被写体のプライバシーの確保を実現できるウェアラブル監視カメラを、より小型、安価に提供することができる。
【実施例３】
【００４５】
本実施例は、異常状態を示す異常信号を受けた固定局であるセキュリティ管理会社が、ウェアラブル監視カメラの周囲にある他の監視カメラに撮影指示を出すことで、特定不審者の撮影を継続する例について説明する。
【００４６】
図６は、本実施例における、ウェアラブル監視カメラを含む監視カメラシステムの構成図である。図６において、図１と同じ構成要件は同じ符号を付し、その説明は省略する。図１と異なる点は、ウェアラブル監視カメラ１の周囲にあるネットワーク５で接続された他の監視カメラ９を設けた点である。
【００４７】
図６において、ウェアラブル監視カメラ１の被写体３が、ユーザ２に危害が及ぼすような不審者や犯罪歴のある人物であった場合、セキュリティ管理会社６は、ネットワーク５で接続されたウェアラブル監視カメラ１の周囲にある他の街頭設置の監視カメラ９や他のユーザーのカメラなどに、撮影指示を出す。これにより、特定不審者の撮影を継続することが可能となり、被写体の追跡調査を可能とし、監視の継続や、犯罪が発生したときの犯人特定情報の取得を容易にすることができる。
【００４８】
なお、本実施例は、実施例１に記載のウェアラブル監視カメラ１を用いて説明したが、撮影した画像データの照合をセキュリティ管理会社側で行う実施例２に記載のウェアラブル監視カメラ８においても同様に適用可能である。
【００４９】
以上のように、本実施例は、監視カメラシステムであって、光学像から画像データを取得するカメラ部と、所定人物の画像データを記憶する記憶部と、カメラ部で取得した画像データを送信する通信部と、カメラ部で取得した画像データと記憶部に記憶された画像データを照合し、その照合結果に基づいて通信部によりカメラ部で取得した画像データを送信するように制御する制御部を備えたウェアラブル監視カメラと、ウェアラブル監視カメラとデータの送受信を行うネットワークと、ネットワークと接続されウェアラブル監視カメラとデータの送受信を行う固定局と、ウェアラブル監視カメラの周囲にあるネットワークで接続された他の監視カメラを有し、ウェアラブル監視カメラは、所定人物の画像データが犯罪歴のある人物の画像データであり、照合結果が、所定人物が所定時間以上カメラ部で取得した画像データに写っていた場合カメラ部で取得した画像データを送信し、固定局はウェアラブル監視カメラから送られた画像データを認証し、ウェアラブル監視カメラの周囲にある他の監視カメラに撮影指示を出すように構成する。
【００５０】
以上実施例について説明したが、本発明は上記した実施例に限定されるものではなく、様々な変形例が含まれる。また、上記した実施例は本発明を分かりやすく説明するために詳細に説明したものであり、必ずしも説明した全ての構成を備えるものに限定されるものではない。また、実施例の構成の一部を他の構成に置き換えることも可能である。
【００５１】
また、前述した本発明の機能等は、それらの一部または全部を、例えば集積回路で設計する等によりハードウェアで実現しても良い。また、マイクロプロセッサユニット等がそれぞれの機能等を実現するプログラムを解釈して実行することによりソフトウェアで実現しても良い。ハードウェアとソフトウェアを併用しても良い。
【００５２】
また前述した各プログラムは、製品出荷の時点で、予めＲＯＭ若しくはストレージ部等に格納された状態であっても良い。製品出荷後に、ネットワークを介して取得するものであっても良い。また、メモリカード等に格納されたプログラムを、拡張インタフェース部を介して取得しても良い。
【００５３】
また、図中に示した制御線や情報線は説明上必要と考えられるものを示しており、必ずしも製品上の全ての制御線や情報線を示しているとは限らない。実際には殆ど全ての構成が相互に接続されていると考えても良い。
【符号の説明】
【００５４】
１，８：ウェアラブル監視カメラ、２：ユーザ、３：被写体、４：無線通信用アクセスポイント、５：ネットワーク、６：セキュリティ管理会社、７：登録情報データベース、９：監視カメラ
【図１】
2017097395.tif 000003
【図２】
2017097395.tif 000004
【図３】
2017097395.tif 000005
【図４】
2017097395.tif 000006
【図５】
2017097395.tif 000007
【図６】
2017097395.tif 000008